(57)【要約】      （修正有）【課題】従来の巻回粘着テープは、テープ全幅が粘着部の場合、本体側テープ末端が本体テープ面に巻き戻って粘着すると、テープ本体の色や模様にまぎれて、目視判別し難く、指でさすっての触覚探索も平坦密着していて認識困難であり、そうして探し当てた末端は全幅が本体テープ面に粘着してはがし起こし難く、その角に爪先などを差し込み、ようやくめくり起こす動作など煩雑な作業が必要であった。また、巻回テープの縁端に切れ込みがなかったため手元不如意の高齢者や年少者等には手切りが困難であった。【解決手段】巻回粘着テープ１の側端を合計幅がテープ幅の５０％を超えない非粘着部１１として、容易にめくり起こせるテープとし、非粘着部１１の縁端に設けた複数の切れ込み１１１により、テープの切断操作を容易とした巻回粘着テープ１。【選択図】図１
2019026818.tif 000002
【特許請求の範囲】
【請求項１】
粘着面の側端を合計幅がテープ幅の５０％を超えない非粘着部としてその縁端に複数の切れ込みを設けた巻回粘着テープ。
【発明の詳細な説明】
【技術分野】
【０００１】  本発明は、両面粘着テープも含めて、側端の非粘着部分の縁端に切れ込みを設けた巻回粘着テープに関する。
類似出願として、特許３４８５１４５、特許３０２６３２６、実開平０３−１０６３３０、実開昭４９−１１６４５２、がある。
以下文中、前出呼称を事後簡略化し、計算数値の約の付称を省略する場合がある。
【背景技術】
【０００２】従来のガムテープやセロファンテープその他、巻回粘着テープの粘着面は、テープ全幅が粘着部の場合、使用途中のテープ先端すなわち末端が本体テープ側に粘着すると剥離が困難であり、また、その巻回粘着テープ本体から切断分離されて対象物に貼付されているテープ片は対象物にその全幅が粘着した。【０００３】  あるいはテープの側端の非粘着部分の縁端に切れ込みがないものもあった。
【発明の開示】
【発明が解決しようとする課題】
【０００４】  以上、テープ全幅が粘着部の場合、本体側テープ末端が本体テープ面に巻き戻って粘着すると、テープ本体の色や模様にまぎれて、目視判別し難く、指でさすっての触覚探索も平坦密着していて認識困難であり、そうして探し当てた末端は全幅が本体テープ面に粘着してはがし起こし難く、その角に爪先などを差し込み、ようやくめくり起こす動作は煩雑な作業であった。
また、両面巻回粘着テープにおいては、片面に重ねた、粘着面同士の癒着を防ぐ分離紙等を全幅粘着末端から剥がしていく煩雑さがあり、また、テープ本体から切断分離されて対象物に貼付されているテープ片を剥離する場合にも同様の煩雑な作業が必要であった。あるいは、前記両面巻回粘着テープを含む片面状粘着テープにおいて、剥離を想定してあらかじめテープ末端を粘着面同士が接着するよう内に折り合わせて、外側となった非粘着面側を剥離手がかり部としていたが、粘着貼付には寄与しない無駄な部分であり、その手がかり部分の適度の長短設定の留意が必要で煩雑であった。【０００５】また、側端の非粘着部に切れ込みがなく、あるいは側端の非粘着部中央部に沿って断続線状の傷痕群により手切りを可能とするものなどもあったが、側端の非粘着部の縁端に切れ込みがなかったため即断簡易の手切りが出来ず、手元不如意の高齢者や年少者等には手切りが困難であった。
【課題を解決するための手段】
【０００６】  本発明製品は、テープの使用目的に対応して、巻回粘着テープの粘着面の側端両側を同一幅の非粘着部分とし、あるいは、一端を大幅とし、他端をわずかとする、または一端のみ非粘着部分としたその各側端にテープ材質と強度を勘案した複数の微小な切れ込みを縁端に設けて、各合計幅がテープ幅の５０％を超えず、よって粘着部分幅が常に５０％以上の巻回粘着テープとする。【０００７】    本発明の非粘着部の縁端に切れ込みを設ける方法として、スリッター工程により、帯状の粘着部と非粘着部を交互とした本発明用幅広シートを引き出しながら、回転するディスクが切断分離し、各巻き取って側端に非粘着部のある巻回粘着テープとする場合、該ディスクの両面あるいは片面の非粘着部対応面において直立状に立ち上がる鋭利な微小突起を設けて、ディスクの回転に伴いテープの非粘着部縁端に前記微小な切れ込みを与えるとすれば、ディスクの形状を一部変更するのみで従来製造工程にあらたな工程の追加を省略できてコストを軽減できるのであるから、ディスクの対応面の外周付近にその突起を一か所設けてディスク回転速度が毎分１２０００回転、テープ巻き取り速度を毎分６０ｍの設定とす
2019026818.tif 000003
設ければ２．５ｍｍ間隔となる。
また、幅広粘着シートの巻物を回転ディスクにより輪切りして本発明テープを製造する輪切り工程の場合、前記様ディスク対応面の突起の位置をディスク外縁からテープ巻き芯管厚み分ほど内径よりに位置調整して、突起が最内径部のテープに切れ込みを与えた時点と輪切りされたテープの分離時をほぼ同時とし、ディスクの回転と巻物の回転とが相まってディスクが巻物を切断しながら対応面に一か所設けた突起が輪切り中のテープの側面に切れ込みを与え、事後テープを引き出せば縁端に本発明切れ込みが設けられているとし、前後進を繰り返して巻物を輪切りするディスクのその突起は回転によりテープ巻回各層に入と出による各２度の切れ込みをもたらすから前進切断２．５秒、停滞０．５秒、後進１秒、停滞０．５秒の切断サイクルに設定して、ディスク回転速度を毎秒２００回転、製造テープの外径を１１０ｍｍ、テープ層厚み１３ｍｍ、テープ巻き芯管厚み２ｍｍとしたテープ製造の場合、外径周囲部テープは前進２．５秒、停滞０．５秒時点において切
2019026818.tif 000004
１．５２で１．５２ｍｍの切れ込み間隔、さらに、切断後も次の切断を待ち受ける巻物側テープ層は後進においても外径周囲まで、さらに後進１秒の切れ込みを受けると
2019026818.tif 000005
面側端切れ込み平均間隔は各０．２２ｍｍと０．２９ｍｍとなり、また、外径と内径の間のテープ層は以上の間で同様各切れ込み設定時間に応じた間隔となり、以上各間隔値を平均で表すのはディスクの前後進による移動に伴いテープへの切れ込み設定箇所が変化しているからである。
なお前記ディスクの対応面とはテープ両側端が非粘着部分の場合該ディスク両面を、一側端のみならば非粘着部分側ディスク面を指す。
以上、切れ込みは粘着剤の無いテープ部分で、粘着剤のはみだしや突起先端に粘着剤が取り付くこともなくスムースに設定されるので、テープ材質にもよるが縁端からの切れ込み深さがテープの厚みの２倍以上として容易に手切りができる状態において、切れ込み深さが０．１〜２ｍｍ程度となるべく突起の高さを０．１〜３ｍｍ程度の間で設定すれば、レコード盤のおよそ最大幅０．１６ｍｍの細密な溝を周回しながら音を拾い上げるレコード針に似て、鋼類や工業用ダイヤモンド等の鋭利な突起の先端が巻回テープの側面を切り裂いていけば、前述微細なサイズの間隔をも、ゆとりをもって設定することができ、またテープ強度にほとんど影響を与えない微小な切れ込みとすることができるのである。あるいはテープ強度に拘らなければ、突起を高くしてもよい。【０００８】側端に切れ込みのない既存の全面粘着手切りテープは全面粘着した側端箇所のめくり返しやその手切り初めに抵抗があり高齢者や年少者等指先不如意な人には困難を覚える存在であったが、本発明は容易にめくり返せる非粘着部に切断用の切れ目を縁端に連続して設けたので箇所を選ばず容易な切断切開操作が可能となった。【０００９】  巻回粘着テープの粘着面は、対象物同士を抱合粘着結合する機能と、包装物の梱包機能その他を有しており、本発明のテープ粘着部分割合は前記５０％以上においてテープ機能の使用目的により、選択適応されることとなる。【００１０】  非粘着部合計幅がテープ幅の５０％を超えない、とは非粘着部が左右同一幅なら、両端とも２５％、あるいは、一端を４９％なら他端を１％など、または、一端のみ非粘着部分ならテープ幅の５０％、よりも各以下として、よって粘着部幅割合は常に５０％以上をいう。【００１１】梱包物に貼付された本発明テープ片の非粘着部をそのテープ片の中途の任意側部から容易にめくり起こして切れ込みから切断し、その切断部から双方向に速やかな剥離、開梱するも可能となる。【００１２】  非粘着部分の一端の幅の割合をそのテープ幅の、前記２５％、さらには５０％に及ぼうとするなど充分なめくり操作幅とすれば、テープのめくり返し操作は容易となるが反面、粘着効果は減少し、一方、非粘着部幅割合を可及的に縮小し、たとえば全幅５０ｍｍのガムテープならば４％程度の２ｍｍ、全幅１５ｍｍのセロファンテープならば１０％程度の１．５ｍｍなどとすれば粘着効果は増大するが、めくり返し操作難度は高まるので、粘着部分と非粘着部分の幅の割合は、テープの使用目的に対応したものとなる。【００１３】  前記課題解決手段による作用は次のとおりである。
本発明の巻回粘着テープは両側端、あるいは片側端を複数の切れ込みのある非粘着部分としており、非粘着部分はテープ本体その他に粘着しない。【００１４】同様、両面粘着テープおいては分離紙等の側端にも粘着しない。
【発明の効果】
【００１５】  非粘着部分が目視認識し難い場合も、指でさすっての触覚探索により、容易にめくれ返り、それをつまんで容易にはがし起こせるし、テープカッター台に装着したテープの末端が、台に具備のテープ末端部粘着保持機能部分から不如意に外れてテープ本体面に戻り粘着した場合も、同様容易にはがし起こせる。【００１６】  そして、テープ本体から適寸引き伸ばし任意箇所で手切り切断できるので、カッター台に具備のカッター機能もテープ末端部粘着保持機能も不要となり、すなわち、カッター台を不要にして、テープ本体のみ持ち運んでの使用も可能となる。【００１７】  本発明テープ本体から切断分離されて梱包対象物に貼付されたガムテープなどテープ片は対象物に粘着していても、末端の非粘着部分をめくり返し、つまんで容易に剥離、開梱出来、あるいは、テープ片の任意の中間部側端でめくり起こして切れ込みを指で左右に引き広げて切断操作し、その切断部から双方向に剥離し、開梱していくことも可能であり、開梱操作の手間が簡略化される。【００１８】  本発明テープは側端が非粘着部分のため全幅粘着テープに比して粘着強度不足が問われる場合、粘着部の幅が常に５０％を超える本発明テープの原初貼付に加え一度の追加貼付のみで粘着部分幅は合計して全幅粘着テープ幅以上となって粘着強度不足を解消して全幅粘着テープ以上の粘着効果をもたらして、さらなる再追加貼付の手間を不要とし、およびそれに伴うテープ材の浪費を防ぐものである。【００１９】  本発明により、テープ片末端の粘着面同士を接着するように内に折り返し合わせて剥離手がかり部としていた粘着貼付に寄与しない無駄な部分も不要となり、折り返し合わない部分を、もどし粘着させていた煩雑さと、及び、その操作中の指先に粘着部分が絡みつく不快感もなくなる。【００２０】  既存の手切りタイプ用の全面粘着テープ製造はそのための素材を組み入れる等、高コストとなり、あるいは特定素材に限られるものであったが、本発明により材質を選ばず非粘着部を有する手切りのテープ製造が可能となり安価にして至便な製品を市場に提供できる。
【図面の簡単な説明】
【００２１】
【図１】本発明の巻回粘着テープ概略図。
【図２】ディスク４の断面一部と突起３の概略図
【発明を実施するための形態】
【００２２】  本発明の実施の一例の形態を図１、に基づいて説明する。
図１は、巻回粘着テープ本体１から引きだされたテープ２の粘着面は両側端の
非粘着部１１と中央の粘着部１２で構成され、非粘着部１１は縁端に微小な切れ込み    １１１を設けている
図２は、ディスク４の回転面４１に突起３を設けた。
【符号の説明】
【００２３】    １        巻回粘着テープ本体
２        引きだされたテープ
３        突起
４        ディスク
１１      各非粘着部
１２      粘着部
４１      回転面
１１１    切れ込み
【図１】
2019026818.tif 000006
【図２】
2019026818.tif 000007
【手続補正書】
【提出日】平成29年11月10日(2017.11.10)
【手続補正１】
【補正対象書類名】明細書
【補正対象項目名】００２２
【補正方法】変更
【補正の内容】
【００２２】  本発明の実施の一例の形態を図１、図２、に基づいて説明する。
図１は、巻回粘着テープ本体１から引きだされたテープ２の粘着面は両側端の非粘着部１１と中央の粘着部１２で構成され、非粘着部１１は縁端に微小な切れ込み１１１を設けている
図２は、ディスク４の回転面４１に突起３を設けた。
【手続補正書】
【提出日】平成29年11月26日(2017.11.26)
【手続補正１】
【補正対象書類名】明細書
【補正対象項目名】０００７
【補正方法】変更
【補正の内容】
【０００７】    本発明の非粘着部の縁端に切れ込みを設ける方法として、スリッター工程により、帯状の粘着部と非粘着部を交互とした本発明用幅広シートを引き出しながら、回転するディスクが切断分離し、各巻き取って側端に非粘着部のある巻回粘着テープとする場合、該ディスクの両面あるいは片面の非粘着部対応面に直立状に立ち上がる鋭利な微小突起を設けて、ディスクの回転に伴いテープの非粘着部縁端に前記微小な切れ込みを与えるとすれば、ディスクの形状を一部変更するのみで従来製造工程にあらたな工程の追加を省略できてコストを軽減できるのであるから、ディスクの対応面の外周付近にその突起を一か所設けてディスク回転速度が毎分１２０００回転、テープ巻き取り速度を毎分６０ｍの設定とすれば、６０×１００×１０÷１２０００＝５により、５ｍｍ間隔の切れ込みが得られ、対側にも設けて二か所とすれば２．５ｍｍ間隔となる。
また、前記様本発明用幅広シートの巻物を回転ディスクにより輪切りして本発明テープを製造する輪切り工程の場合、前記様ディスク対応面の突起の位置をディスク外縁からテープ巻き芯管厚み分ほど内径よりに位置調整して、突起が最内径部のテープに切れ込みを与えた時点と輪切りされたテープの分離時をほぼ同時とし、ディスクの回転と巻物の回転とが相まってディスクが巻物を切断しながら対応面に一か所設けた突起が輪切り中のテープの側面に切れ込みを与え、事後
テープの縁端には本発明切れ込みが設けられているとし、前後進を繰り返すごとに巻物を輪切りするディスクにおいてその突起は回転によりテープ巻回各層に入と出による各２度の切れ込みをもたらすから前進切断２．５秒、停滞０．５秒、後進１秒、停滞０．５秒の切断サイクルに設定して、ディスク回転速度を毎秒２００回転、製造テープの外径を１１０ｍｍ、テープ層厚み１３ｍｍ、テープ巻き芯管厚み２ｍｍとしたテープ製造の場合、外径周囲部テープは前進２．５秒、停滞０．５秒時点において切れ込み時間３秒の、１１０ｍｍ×３．１４÷（２００回転×２度×３秒）≒０．２９で０．２９ｍｍの切れ込み間隔、及び最内径周囲部テープは同様１１０−１３の９７×３．１４÷（２００×２×０．５）≒１．５２で１．５２ｍｍの切れ込み間隔、また、切断後も次の切断を待ち受ける巻物側テープ層が後進においても外径周囲まで、さらに後進１秒の切れ込みを受ける場合、１１０×３．１４÷（２００×２×４）≒０．２２の０．２２ｍｍとなり、テープの外径周囲部対象面側端切れ込み平均間隔は各０．２２ｍｍと０．２９ｍｍとなり、また、外径と内径の間のテープ層は以上の間で同様各切れ込み時間に応じた間隔となり、以上各間隔値を平均で表すのはディスクの前後進による移動に伴いテープへの切れ込み箇所が変化しているからである。
なお前記ディスクの対応面とはテープ両側端が非粘着部分の場合該ディスク両面を、一側端のみならば非粘着部分側ディスク面を指す。
以上、粘着剤の無いテープ部分における切れ込みは、粘着剤のはみだしや突起先端に粘着剤が取り付くこともなくスムースに設定されるので、テープ材質にもよるが縁端からの切れ込み深さがテープの厚みの２倍以上として容易に手切りができる状態において、切れ込み深さが０．１〜２ｍｍ程度となるべく突起の高さを０．１〜
３ｍｍ程度の間で設定して、鋼類や工業用ダイヤモンド等の鋭利な突起材料の先端が巻回テープの側面を切り裂いていけば、前述微細なサイズの間隔を設定することができ、またテープ強度にほとんど影響を与えない微小な切れ込みとすることができるのである。あるいはテープ強度に拘らなければ、突起を高くして切れ込み深さをさらに大きくしてもよい。